(57)【特許請求の範囲】
【請求項１】
複写機で再現容易な網点からなる潜像と、複写機で再現困難な網点からなる背景とが単一色で印刷されてなり、
さらに、前記潜像を形成する領域と前記背景を形成する領域に、同色の網点からなる地紋が組み込まれている偽造防止印刷物であって、
前記潜像を形成する領域の、地紋が組み込まれる部分には、潜像を構成する網点が印刷されていないものであり、
さらに前記地紋は、前記背景の網点と同一線数で、より濃度の濃い網点からなり、背景を形成する領域において、地紋を構成する網点の各ドットが、背景を構成する網点のドットに重なっていることを特徴とする偽造防止印刷物。
【請求項２】
前記潜像を形成する領域において、地紋が占める割合が５〜５０％であることを特徴とする請求項１に記載の偽造防止印刷物。
【請求項３】
複写機で再現困難な網点からなる潜像と、複写機で再現容易な網点からなる背景とが単一色で印刷されてなり、
さらに、前記潜像を形成する領域と前記背景を形成する領域に、同色の網点からなる地紋が組み込まれている偽造防止印刷物であって、
前記背景を形成する領域の、地紋が組み込まれる部分には、背景を構成する網点が印刷されていないものであり、
さらに前記地紋は、前記潜像の網点と同一線数で、より濃度の濃い網点からなり、潜像を形成する領域において、地紋を構成する網点の各ドットが、潜像を構成する網点のドットに重なっていることを特徴とする偽造防止印刷物。
【請求項４】
前記潜像は、文字、図形、又は記号であることを特徴とする請求項１乃至請求項３のいずれか１項に記載の偽造防止印刷物。
【請求項５】
前記地紋は、文字、図形、又は記号であることを特徴とする請求項１乃至請求項４のいずれか１項に記載の偽造防止印刷物。
【発明の詳細な説明】
【技術分野】
【０００１】
本発明は、有価証券や証明書等に使用される偽造防止印刷物に関する。
【背景技術】
【０００２】
複写機で再現容易な網点からなる潜像と、該潜像の周囲に形成される、複写機で再現困難な網点からなる背景とが印刷された偽造防止印刷物が知られている（例えば特許文献１）。かかる偽造防止印刷物を複写機で複写すると、複写物においては背景の網点は再現されず、潜像の網点だけが再現されて、潜像が明瞭に現出することとなる。この偽造防止印刷物は、有価証券、証明書、登録証、またはクレジットカード、キャッシュカード、ハイウエイカードなどに使用されている。
【０００３】
また、こうした偽造防止印刷物にあって、図７，８に示すように、潜像２ａと背景３ａに対してさらに同一色で地紋４ａを組み込んだものが知られている。具体的には、図７，８の偽造防止印刷物１ａでは、潜像２ａは複写再現容易な網点からなる「複写」という文字であり、背景３ａは複写再現困難な網点で印刷されている。そして、地紋４ａは、網点からなる「AIUEO」という文字を繰り返してなるものであり、潜像２ａを形成する領域と背景３ａを形成する領域に跨って組み込まれている。かかる偽造防止印刷物１ａでは、地紋４ａのカムフラージュ効果により、潜像２ａと背景３ａとを識別し難くなる。
【０００４】
【特許文献１】特開平９−１３１９６１号公報
【発明の開示】
【発明が解決しようとする課題】
【０００５】
ところで、上述の偽造防止印刷物１ａでは、地紋４ａは、潜像２ａの領域と背景３ａの領域とに跨るように組み込まれることとなるが、図８に示すように、地紋４ａ自体は同じ網点で構成されていても、背景３ａの網点の小さいドットと重なる部分よりも、潜像２ａの網点の大きいドットと重なる部分の方が地紋４ａが目立ち易く、上記偽造防止印刷物１ａでは、潜像２ａと背景３ａでの地紋４ａの目立ち易さの違いにより、潜像２ａと背景３ａのカムフラージュが不十分なものとなっていた。
【０００６】
本発明はかかる問題の解決を試みたものであり、潜像と背景に対して同一色で地紋を組み込んだ偽造防止印刷物において、潜像と背景がより識別し難いものを提供することを目的とする。
【課題を解決するための手段】
【０００７】
本発明は、複写機で再現容易な網点からなる潜像と、複写機で再現困難な網点からなる背景とが単一色で印刷されてなり、さらに、前記潜像を形成する領域と前記背景を形成する領域に、同色の網点からなる地紋が組み込まれている偽造防止印刷物であって、前記潜像を形成する領域の、地紋が組み込まれる部分には、潜像を構成する網点が印刷されていないことを特徴とする偽造防止印刷物である。かかる構成にあっては、潜像を構成する網点のドットは、地紋が組み込まれている部分に印刷されずに抜け落ちることとなる。このため、本構成では、潜像の領域内の地紋は潜像の網点の影響を受けず、その分、従来構成よりも目立ち難くなる。
【０００８】
上記構成にあっては、前記地紋は、前記背景と同一線数で、より濃度の濃い網点からなり、背景を形成する領域において、地紋を構成する網点の各ドットが、背景を構成する網点のドットに重なっている構成が提案される。すなわち、かかる構成では、背景に地紋が組み込まれる部分において、地紋と背景の網点を構成するドット同士が重なることとなり、これにより、背景の領域内の地紋は、背景の網点によって濃度が上昇することがなくなる。
【０００９】
また、上記構成にあっては、潜像を形成する領域において、地紋が占める割合が５〜５０％であることが望ましく、２０〜３０％であることがより望ましい。潜像を形成する領域において地紋が占める割合が５％以上であれば、潜像と背景とを十分にカムフラージュすることができ、２０％以上であればさらに十分なカムフラージュ効果が得られる。一方、地紋が占める割合が５０％以下であれば、複写物において現出する潜像の形状を十分に識別でき、３０％以下であれば、より明瞭に識別可能となる。
【００１０】
また、本発明の別の態様として、複写機で再現困難な網点からなる潜像と、複写機で再現容易な網点からなる背景とが単一色で印刷されてなり、さらに、前記潜像を形成する領域と前記背景を形成する領域に、同色の網点からなる地紋が組み込まれている偽造防止印刷物であって、前記背景を形成する領域の、地紋が組み込まれる部分には、背景を構成する網点が印刷されていないことを特徴とする偽造防止印刷物が提案される。かかる偽造防止印刷物は、複写物において潜像が白抜きで現出するものである。かかる構成にあっては、背景を構成する網点のドットは、地紋が組み込まれる部分に印刷されずに抜け落ちることとなる。このため、背景に組み込まれる地紋は、背景の網点によって目立つことがなくなる。また、本構成にあって、前記地紋は、前記潜像の網点と同一線数で、より濃度の濃い網点からなり、潜像を形成する領域において、地紋を構成する網点の各ドットが、潜像を構成する網点のドットに重なっている構成が提案される。かかる構成では、潜像に地紋が組み込まれる部分において、地紋と潜像の網点を構成するドット同士が重なることとなり、これにより、潜像の領域内の地紋は、潜像の網点によって濃度が上昇することがなくなる。
【００１１】
本発明において、複写機で再現容易な網点とは、既存の一般的な複写機を用いて複写した時に再現される程度の大きさのドットからなる網点を指し、具体的には、線数３０〜７０線、濃度１３〜２５％の網点を用いることが好ましい。同様に、複写機で再現困難な網点とは、既存の一般的な複写機を用いて複写した際に再現されない程度の小さいドットからなる網点を指し、具体的には、線数１００〜４００線、濃度５〜１２％の網点を用いることが好ましい。なお、本発明において、地紋を構成する網点は、潜像と背景をカムフラージュし得るものであれば、複写機で再現容易なものであっても、再現困難なものであっても構わない。
【００１２】
本発明において、潜像は、複写物が複写物であることを知らせるための文字（文字列）、図形、又は記号などであり、一定の形状を有するものである。また、本発明において、地紋は、文字（文字列）、図形、又は記号などの一定の形状を有するものを一様に配したものである。すなわち、本発明において、潜像を形成する領域とは、潜像を構成する文字等の輪郭に囲まれた領域である。また、潜像を形成する領域の、地紋が組み込まれる部分とは、潜像を形成する領域において、地紋を構成する文字等を形成する部分を指す。
【発明の効果】
【００１３】
本発明によれば、潜像を形成する領域において、潜像を構成する網点が、潜像に組み込まれる地紋に重ならないため、潜像に組み込まれた部分の地紋が目立たなくなる。このため、本発明は、従来の偽造防止印刷物よりも潜像と背景が識別し難いものとなる。
【００１４】
上記構成にあって、地紋が、前記背景と同一線数で、より濃度の濃い網点からなり、背景を形成する領域において、地紋を構成する網点の各ドットが、背景を構成する網点のドットに重なる構成とした場合には、背景の領域内の地紋は、背景の網点によって濃度が上昇することがなくなる。したがって、本構成とすれば、地紋は、潜像の網点にも背景の網点にも影響されることなく、潜像と背景の領域で一定の濃度を保つこととなり、従来よりも優れたカムフラージュ効果を発揮することとなる。
【００１５】
さらに、上記構成にあって、潜像を形成する領域において、地紋が占める割合が５〜５０％である場合には、地紋による十分なカムフラージュ効果を得ることができ、且つ、複写物において現出する潜像の識別性が損なわれることもない。
【００１６】
また、複写機で再現困難な網点からなる潜像と、複写機で再現容易な網点からなる背景とが単一色で印刷されてなり、さらに、前記潜像を形成する領域と前記背景を形成する領域に、同色の網点からなる地紋が組み込まれている偽造防止印刷物であって、前記背景を形成する領域の、地紋が組み込まれる部分には、背景を構成する網点が印刷されていないことを特徴とする偽造防止印刷物にあっても、潜像と背景を一層識別し難いものにできる。
【発明を実施するための最良の形態】
【００１７】
本発明の実施形態を、以下の実施例に従って説明する。
【００１８】
図１は、実施例の偽造防止印刷物１の概略を示す平面図であり、図２は、偽造防止印刷物１の構成を示した説明図である。偽造防止印刷物１の表面には、「複写」という文字からなる潜像２と、該潜像２の周囲の背景３とによって構成される。また、潜像２を形成する領域と背景３を形成する領域には、二つの領域に跨るように地紋４が組み込まれている。
【００１９】
潜像２は、既存の複写機で再現容易な網点からなるものであり、具体的には５０線２０％の平網で印刷されている。背景３は、既存の複写機で再現困難な網点からなるものであり、具体的には１５０線１０％の平網で、潜像２の領域を除く表面全域に印刷される。
【００２０】
地紋４は、「AIUEO」のという文字の繰返しパターンである。各文字は潜像２を構成する文字「複写」の１０％程度の幅寸法であり、背景３の網点と同じ線数で、濃度の濃い網点によって構成される。夫々１５０線、２０％の平網で構成されている。この平網は、複写再現困難な網点である。
【００２１】
本実施例にあっては、背景３と地紋４は、同じ線数の平網によって構成されている。そして、地紋４が背景３に組み込まれる部分にあっては、図３に示すように、地紋４を構成する網点の各ドットが背景３を構成する網点のドットに重なるように設定される。すなわち、かかる構成にあっては、背景３の網点の小さいドットが地紋４の網点の大きいドットに包含される形となるため、地紋４の濃度は背景３の網点によって上昇しない。
【００２２】
そして、本実施例にあっては、潜像２と地紋４の重なる部分では、図４に示すように、潜像２の網点が印刷されず、地紋４の網点のみが印刷される。すなわち、図５（ａ）に示すように、従来では、地紋４ａが組み込まれる部分に潜像２ａの網点のドットが重なっていたのに対し、本実施例では、図５（ｂ）に示すように、地紋４が組み込まれる部分において潜像２の網点のドットが抜け落ちる形となる。かかる構成によれば、潜像２の網点のドットが地紋４と重なることがないから、潜像２の領域において地紋４の濃度が濃くならず、地紋４が目立つことがない。なお、地紋４を構成する「AIUEO」の文字は、潜像２の領域の約２５％を占めており、潜像２は、約２５％の領域で網点のドットが抜け落ちた形となっている。しかしながら、後述するように、２５％程度網点が欠けていても、複写物に現出する潜像の識別性は殆ど損なわれることがない。
【００２３】
本実施例の偽造防止印刷物１と、従来の偽造防止印刷物１ａ（図７，８参照）とを実際に目視にて比較したところ、本実施例の偽造防止印刷物１の方が、潜像と背景の領域での地紋の目立ち易さに差がなく、潜像と背景が識別し難いものであった。
【００２４】
本実施例の偽造防止印刷物１を複写機によって複写すると、図６に示すように、複写機で再現困難な網点からなる背景３及び地紋４は再現されず、背景３に対応する部分３ｂ及び地紋４に対応する部分４ｂは白く抜けた形となり、潜像２ｂだけが再現されて明瞭に現出することとなる。ここで、偽造防止印刷物１の潜像２の網点は、地紋４が組み込まれた部分でドットが抜け落ちているため、複写物１ｂにおいて現出する潜像２ｂは所々網点が白く欠けたものとなるが、地紋４は小さい文字で構成されており、潜像２の領域の２５％程度しか占めていないため、現出する潜像２ｂの文字（「複写」）は問題なく識別できる。
【００２５】
本実施例の偽造防止印刷物１は、例えば、コンピュータ上でフィルム原版を設計し、用紙にスミ色の一色刷りを施すことによって作製される。
【００２６】
本実施例の偽造防止印刷物１は、さらにタイトルやイラスト、その他の印刷を施すことによって証明書、登録証、有価証券等に用いることができる。
【００２７】
以上のように、本実施例の偽造防止印刷物１によれば、潜像２に地紋４が組み込まれる部分において、地紋４に対して潜像２の網点のドットが重なることがないから、当該部分の地紋４が目視した時に目立つことがない。したがって、かかる偽造防止印刷物１は、従来構成よりも潜像２と背景３を識別し難いものとなる。
【００２８】
特に、本実施例では、地紋４は、背景３と同一線数で、より濃度の濃い網点からなり、背景３と重なる部分において、地紋４を構成する網点の各ドットが、背景３の網点のドットと重なるようになっているから、地紋４の濃度が背景３の網点に影響されることがない。このため、本実施例にあっては、地紋４は、潜像２の網点にも背景３の網点にも影響されることなく、潜像２と背景３の領域とで略一定の目立ち易さとなり、地紋４の目立ち易さの差に起因して潜像２と背景３が識別されることがない。
【００２９】
また、地紋４は、潜像２に比べて小さい文字で構成されており、また、潜像２の領域に占める割合も小さいため、複写物１ｂにおいて、現出する潜像２ｂが部分的に欠けていても、十分に「複写」という文字として識別することができる。
【００３０】
なお、本発明における偽造防止印刷物は、上記実施例の形態に限らず本発明の要旨を逸脱しない範囲内において種々変更を加えることができる。例えば、実施例では、背景３の領域において、地紋４の網点の各ドットが背景３の網点のドットに重なっているが、地紋４の網点のドットを背景３の網点のドットに重ねる必要はない。また、地紋の網点の線数や濃度も、カムフラージュ効果を損なわない範囲内で適宜変更できる。
【００３１】
また、実施例では、潜像２が複写機で再現容易な網点で、背景３が複写機で再現困難な網点で構成されているが、本発明は、潜像が複写機で再現困難な網点で、背景が複写機で再現容易な網点で構成されている偽造防止印刷物にも同様にして適用できる。この場合、上記実施例とは潜像と背景の構成が入れ替わることとなる。すなわち、背景を形成する領域では、地紋が組み込まれる部分において背景の網点のドットが抜け落ちる形となり、また、潜像を形成する領域では、地紋を構成する網点の各ドットを、潜像を構成する網点のドットに重ねることができる。
【図面の簡単な説明】
【００３２】
【図１】実施例の偽造防止印刷物１の概略を示す平面図である。
【図２】実施例の偽造防止印刷物１の構成を示す説明図である。
【図３】図１中のＸ部分の拡大図である。
【図４】図１中のＹ部分の拡大図である。
【図５】従来構成との対比を示す説明図である。
【図６】偽造防止印刷物１の複写物１ｂの概略を示す平面図である。
【図７】従来の偽造防止印刷物１ａの概略を示す平面図である。
【図８】図７中のＺ部分の拡大図である。
【符号の説明】
【００３３】
１，１ａ  偽造防止印刷物
１ｂ  複写物
２，２ａ  潜像
３，３ａ  背景
４，４ａ  地紋
【図１】
0005215654.tif 000002
【図２】
0005215654.tif 000003
【図３】
0005215654.tif 000004
【図４】
0005215654.tif 000005
【図５】
0005215654.tif 000006
【図６】
0005215654.tif 000007
【図７】
0005215654.tif 000008
【図８】
0005215654.tif 000009